(57)【要約】      （修正有）【課題】アルミサッシに用いられる鍵に関し、アルミサッシの枠にはめ込んである大きいガラスの一部分を破損させて内側から掛けてあるクレセント錠を外してもアルミサッシが開かない。そうして安全性が高く低価額で出来る盗難防止用鍵を作成する。【解決手段】円柱棒１とヨーク２を接合しヨーク内に入れた円盤型永久磁石３で形成した装置を塩化ビーニルで形成した容器の内部５に挿入し、外部の円盤型永久磁石１０を近ずけると２個の円盤型永久磁石間で同じ磁極(Ｎ極とＮ極)の時は反発し、反対の磁極（Ｎ極とＳ極）の時は吸引することにより、円柱棒１がアルミサッシに設けた穴２３に挿入或いは引き抜きされることにより、施錠及び解除することを特徴とする。【選択図】図３
2005009282.tif 000002
【特許請求の範囲】
【請求項１】
円柱棒（鉄、真鍮或いは鋼）（１）とヨーク（２）および円盤型永久磁石（３）と、
該円柱棒（１）とヨーク（２）を接合（図３参照）し、ヨーク内に入れた円盤型永久磁石（３）で形成した装置（６）を塩化ビーニルで形成した容器（４）（或いは図２を参照）の中（５）に装荷する。円柱棒（１）を挿入と抽出するには外部のヨーク（９）内に装荷した円盤型永久磁石（１０）と円盤型永久磁石（３）でＮ極とＮ極或いはＳ極Ｓ極同士で反発する作用を利用して円柱棒（１）を挿入させ、また円柱棒（１）を抽出するときはＮ極と外部磁石（１０）をＳ極にして吸引作用を利用する。円柱棒（１）を抽出するとき塩化ビーニルで形成した容器（４）外に出ないように厚みの薄い塩化ビーニル（７）を貼る。塩化ビーニル（７）で形成した容器の小さい穴（８）の近くに外部のヨーク（９）内に装荷した円盤型磁石（１０）で構成した盗難防止用鍵の装置。
【請求項２】
円柱棒（鉄、真鍮或いは鋼）（１Ｂ）と２枚長方形板（鉄或いは鋼）（２Ｂ）および角型永久磁石（３Ｂ）と、
該円柱棒（１Ｂ）と２枚の長方形板（２Ｂ）を接合（図３Ｂ参照）し、２枚の長方形板の間に角形永久磁石（３Ｂ）を挿入して２枚の長方形板の先端にＮ極とＳ極を生じる磁石の装置（６Ｂ）を塩化ビーニルを加工した容器（４Ｂ）の内部（５Ｂ）に挿入する。
円柱棒（１Ｂ）を挿入及び抽出するには外部の２枚の長方形板（９Ｂ）の間に角型永久磁石（１０Ｂ）を挿入して２枚の長方形板の先端にＮ極とＳ極を生じる磁石の磁極と２枚の長方形板の間に角形永久磁石（３Ｂ）を挿入して２枚の長方形板の先端にＮ極とＳ極を生じる磁石の磁極同士が同じ向き（Ｎ極とＮ極或いはＳ極とＳ極）になった時に反発する作用を利用して円柱棒（１Ｂ）を挿入させ、また反対の向き（Ｎ極とＳ極或いはＳ極とＮ極）になった時には吸引する作用を利用して円柱棒（１Ｂ）を抽出する。円柱棒（１Ｂ）を抽出するとき塩化ビーニルで形成した容器外に出ないように厚みの薄い塩化ビーニル（７Ｂ）を貼る。
挿入と抽出を繰り返している間に角形永久磁石（３Ｂ）が２枚の長方形板の間からズレないようにするために２枚の長方形板の回りを樹脂（１１Ｂ）で固めた。
塩化ビーニルで形成した容器の小さい穴（８Ｂ）の近くに２枚の長方形板（９Ｂ）の間に角型永久磁石（１０Ｂ）を挿入して２枚の長方形板の先端にＮ極とＳ極を生じる磁石とで構成した盗難防止用鍵の装置。
【請求項３】
細い円柱パイプ（１１）と少し太い円柱パイプ（１２）を接合したパイプ（１３）と、
該円柱棒（鉄、真鍮或いは鋼）（１４）と切り込み口を設けた円盤板（１５）および円柱棒の一端にマイナス溝（１６）で形成した装置（１７）を接合したパイプ（１３）の中に装荷し、
該円柱棒（１４）が挿入と抽出が自由に出来るスプリング（１９）と円柱棒（１４）を挿入した時に切り込み口を設けた円盤板（１５）を時計方向或いは反時計方向に回し、途中で止まるようにするために接合したパイプ（１３）の横に細いネジ（１８）を挿入する。挿入と抽出を調節するには穴（２１）から行う。
また円柱棒（１４）を抽出したときスプリングの反発作用によって、円柱棒が接合したパイプ（１３）から抜け出ないように留め金（２０）を設け、さらに接合したパイプ（１３）と留め金（２０）を固定するには電気溶接で接合した。アルミサッシに鍵を留める為に留め穴（２２）にネジで止めるよう構成した盗難防止用鍵の装置。
【発明の詳細な説明】
【０００１】
【産業上の利用分野】
本発明は、クレセント錠の取り付けてあるアルミサッシの『めしあわせカマチ』の枠内に盗難防止用鍵を装荷し、一方のアルミサッシには盗難防止用鍵の円柱棒の穴を空ける。２個の永久磁石を用いてクーロンの法則に従って、吸引と反発を利用する。２個永久磁石の面がＮ極とＮ極或いはＳ極とＳ極同士になると反発し円盤型永久磁石に接合した円柱棒のピンは挿入する。Ｎ極とＳなると円柱棒のピンは抽出して、アルミサッシの開閉を制御する装置に関するものである。
【０００２】
【従来の技術】
従来からアルミサッシの開閉には図１に示すクレセント錠が採用されている。
【０００３】
現在主流となっているアルミサッシの鍵については図１示すようにアルミサッシの内側の『めしあわせカマチ』の上下中程に取り付けてあるクレセント錠の周りをライターの熱源或いはそれ以外の熱源を用いて外側からガラスの面を焼き，高温になったガラスに水をかけて一部分だけを破損させ、内側から掛けてあるクレセント錠を外しアルミサッシを開けて進入する場合が多い。
【０００４】
【発明が解決しようとする課題】
従って本発明は、アルミサッシの枠にはめ込んである大きいガラスの一部分を破損さて内側から掛けてあるクレセント錠を外しも、アルミサッシを開けて進入することが出来ない鍵を実現することを目的とする。
【０００５】
アルミサッシの枠にはめ込んであるガラスについては室内の明るさを優先するために透明ガラスが多く採用されている。その為に外部から内部の様子が良く分かり、クレセント錠の位置及び補助鍵の位置まで知ることが出来る。発明した盗難防止用鍵は室外から透明ガラスを介して見ても良く分からず。ガラスの一部分を破損させクレセント錠を外してもアルミサッシを開けて進入することが出来ないし、簡単な構造で比較的楽に操作できる盗難防止用鍵を実現することを目的とする。
【０００６】
【問題を解決するための手段】
上記の目的を達成するために、本発明に係わる最初の盗難防止用鍵の構造は塩化ビニールを図２に示すように基本中心線を中心にして２分の１だけを断面に表示したように加工した。
図３に示すように円盤になっているヨーク（２）の面の中心に垂直に円柱棒（１）が立つように溶接し、ヨーク（２）の中に円盤型永久磁石（３）を装荷した装置（６）で盗難防止用鍵の可動部とピン（円柱棒）が形成される。装置（６）を塩化ビニール（４）（図２に示す）の内部（５）に挿入した。
装置（６）が塩化ビニールの内部（５）から外部に出ないように薄い塩化ビニール板（７）を貼り、薄い塩化ビニール板（７）に小さい穴（８）を空けた。小さい穴（８）に接近してヨーク（９）の中に円盤型永久磁石（１０）を装荷した装置で円柱棒が挿入と抽出できる盗難防止用鍵を備えている。
【０００７】
更に本発明では、２番目の盗難防止用鍵の構造は塩化ビニールを図２に示すように基本中心線を中心にして２分の１だけを断面に表示したように加工した。
図３Ｂに示すように２枚の長方形板（２Ｂ）に円柱棒（１Ｂ）を接合（図３Ｂ参照）し、２枚の長方形板の間に角形永久磁石（３Ｂ）を挿入して２枚の長方形板の先端にＮ極とＳ極を生じる磁石の装置（６Ｂ）を塩化ビーニルを加工した容器（４Ｂ）の内部に挿入した。
円柱棒（１Ｂ）を挿入及び抽出するには外部の長方形板（９Ｂ）の間に角型永久磁石（１０Ｂ）を挿入して２枚の長方形板の先端にＮ極とＳ極を生じる磁石の磁極と２枚の長方形板の間に角形永久磁石（３Ｂ）を挿入して２枚の長方形板の先端にＮ極とＳ極を生じる磁石の磁極同士が同じ向き（Ｎ極とＮ極或いはＳ極とＳ極）になった時に反発する力を利用して円柱棒（１Ｂ）を挿入させ、また反対の向き（Ｎ極とＳ極或いはＳ極とＮ極）になった時には吸引する力を利用して円柱棒（１Ｂ）を抽出する。
挿入と抽出を繰り返している間に角形永久磁石（３Ｂ）が２枚の長方形板の間からズレないようにするために２枚の長方形板の回りを樹脂（１１Ｂ）で固めた。円柱棒（１Ｂ）を抽出するとき塩化ビーニルで形成した容器の内部から外に出ないように厚みの薄い塩化ビーニル（７Ｂ）を貼る。
塩化ビーニルの中心に小さい穴（８Ｂ）を空けてその近くに２枚の長方形板（９Ｂ）の間に角型永久磁石（１０Ｂ）を挿入して２枚の長方形板の先端にＮ極とＳ極を生じる磁石で挿入と抽出出来る可動部を持つように構成した盗難防止用鍵を備えている。
【０００８】
更に本発明では、３番目の盗難防止用鍵の構造を図５に示す。円柱パイプを基本中心線を中心にして２分の１だけ断面にして表示した。細い円柱パイプ（１１）と少し太い円柱パイプ（１２）とを図５に示すように接合したパイプ（１３）とする  。
円柱棒（鉄と鋼及び真鍮）（１４）と切り込み口を設けた円盤板（１５）を円柱棒（１４）の上部に接合し、円柱棒（１４）の一端にマイナス溝（１６）を付けた装置（１７）とする。接合パイプ（１３）の内部に装置（１７）を挿入し、円柱棒（１４）の周りにスプリング（１９）を入れて円柱棒が挿入と抽出できるように可動部にした。接合したパイプ（１３）の横２箇所に細いネジ（１８）を設けた。
接合したパイプ（１３）の内部に挿入した装置（１７）が外部に出ないように楕円板（２０）を設け、円柱棒（１４）を挿入と抽出できるように楕円板の中心に小さい穴（２１）を空けた。楕円板（２０）は接合したパイプ（１３）と固定出来るように電気溶接或いは半田付けした。鍵をアルミサッシに取り付けられるように止め穴（２２）を空けてネジで取り付けられる３番目の盗難防止用鍵を備えている。
【０００９】
【発明の実施の形態】
次に本発明の実施の形態を述べると、図面を用いて説明する。本発明による最初の盗難防止用鍵の詳細な構造を図２および図３に示す。大きな塩化ビーニルの塊を適当な大きさに加工し、盗難防止用鍵の容器を形成した。
盗難防止用鍵の容器の内部構造は図２に示すように基本中心線で中心にして２分の１だけを断面とする。
図３に示すように円盤板（２）の面の中心に円柱棒（１）を垂直に立つように電気溶接するとＴ字型のようになる。
ヨーク（２）の中に円盤型永久磁石（３）を入れて形成した装置（６）を塩化ビーニルを加工した容器（４）（或いは図２を参照）の内部に挿入する。円柱棒（１）を挿入と抽出させるには外部のヨーク（９）中にいれた円盤型永久磁石（１０）を用いて行う。
円盤型永久磁石（３）の面はヨーク（２）の中で接合剤で固定する。いま円盤型永久磁石（３）の面はＮ極とし、円盤型永久磁石（１０）の面は裏表自由に変えられるので、いま円盤型永久磁石（１０）の面をＮ極とするとＮ極Ｎ極同士は反発（クーロンの法則に従って）する。この反発力で装置（６）の円柱棒（１）が挿入する。
円盤型永久磁石（１０）の面をＳ極にすると円盤型永久磁石（３）の面はＮ極であるからＳ極とＮ極は吸引力が働く。この吸引力で円柱棒（１）は抽出する。
２個の永久磁石（３）と（１０）を用いることで簡単な可動部ができる。
図４に示すようにアルミサッシＩの『めしあわせカマチ』（１１Ａ）の上部の内側（１２Ａ）に盗難防止用鍵を装荷して固定し、円盤型永久磁石（１０）を近ずけるアルミサッシには大きい穴（１３Ａ）を空けた。その理由は穴を空けずに、アルミサッシの上から円盤型永久磁石（１０）を近ずけると磁界が弱くなるので大きい穴（１３Ａ）が不可欠となる。
２個の円盤型永久磁石（３）と（１０）をＮ極とＮ極にすると反発力で円柱棒（１）はアルミサッシＩＩに設けた穴（２３）に円柱棒（１）が挿入されてアルミサッシＩとＩＩは閉まった状態になる。
２個の円盤型永久磁石をＮ極とＳ極にすると吸引力で円柱棒（１）は図４に示すアルミサッシＩＩに空けた穴（２３）から円柱棒（１）が抽出されてアルミサッシＩとＩＩは開ける事が出きる。
従って図１に示すようにアルミサッシの枠にはめ込んである大きいガラスの一部分を破損さて内側から掛けてあるクレセント錠を外しても、この２個の円盤型永久磁石を用いた盗難防止用鍵を備えれば、大きいガラスを全部破損させないと泥棒は進入する事が出来ない。
【００１０】
次に２番目の発明の実施の形態を述べると、図面を用いて説明する。２番目の盗難防止用鍵の詳細な構造を図３Ｂに示す。
盗難防止用鍵の容器の内部構造は図２に示すように基本中心線で中心にして２分の１だけを断面に表示したように加工した。
図３Ｂに示すように２枚の長方形板（２Ｂ）に円柱棒（１Ｂ）を電気溶接（図３Ｂ参照）し、２枚の長方形板の間に角形永久磁石（３Ｂ）を挿入して２枚の長方形板の先端にＮ極とＳ極を生じる磁石の装置（６Ｂ）を塩化ビーニルを加工した容器（４Ｂ）の内部（５Ｂ）に挿入した。
円柱棒（１Ｂ）を挿入及び抽出するには外部の長方形板（９Ｂ）の間に角型永久磁石（１０Ｂ）を挿入して２枚の長方形板の先端にＮ極とＳ極を生じる磁石の磁極と２枚の長方形板の間に角型永久磁石（３Ｂ）を挿入して２枚の長方形板の先端にＮ極とＳ極を生じる磁石の磁極同士が同じ向きＮ極とＮ極そうしてＳ極とＳ極になった時（クーロンの法則に従って）に反発力を利用して円柱棒（１Ｂ）が挿入される。磁極の向きがＮ極とＳ極そうしてＳ極とＮ極になった時に吸引力を利用して円柱棒（１Ｂ）が抽出される。
挿入と抽出を繰り返している間に角形永久磁石（３Ｂ）が２枚の長方形板の間からズレないようにするために２枚の長方形板の回りを樹脂（１１Ｂ）で固めた。
抽出するときに容器の内部（５Ｂ）から装置（６Ｂ）が外に出ないようにする為に薄い塩化ビーニル板（７Ｂ）を貼り、薄い塩化ビーニル板（７Ｂ）の中心に小さい穴（８Ｂ）を空けた。このような２個磁石で構成した盗難防止用鍵を備えている。
【００１１】
次に３番目の発明の実施の形態を述べると、図面を用いて説明する。２番目の盗難防止用鍵の詳細な構造を図５および図６に示す。
図５に示すように円柱パイプを基本中心線を中心にして２分の１だけ断面にして表示した。細い円柱パイプ（１１）と少し太い円柱パイプ（１２）とを図５に示すように溶接した円柱パイプ（１３）とする  。
円柱棒（鉄と鋼及び真鍮）（１４）と切り込み口を設けた円盤板（１５）を円柱棒（１４）の上部に接合し、円柱棒（１４）の一端にマイナス溝（１６）を付けた装置（１７）とする。接合パイプ（１３）の内部に装置（１７）を挿入し、円柱棒（１４）の周りにスプリング（１９）を入れて円柱棒が挿入と抽出できるように可動部にした。接合したパイプ（１３）の横２箇所に細いネジ（１８）を挿入した。
装置（１７）のマイナス溝にマイナスのドライバを当てて時計または反時計方向に回しながら押すと切り込み口を設けた円盤板（１５）は２箇所の細いネジ（１８）を通過し、切り込み口のない所で止まる。即ち円柱棒（１４）は挿入した状態になる。
再び時計又は反時計方向に回すと２箇所の細いネジの所に切り込み口が来るとスプリングの力で円柱棒（１４）は抽出する。
接合したパイプ（１３）の内部に挿入した装置（１７）がスプリングの可動力で外部に出ないように楕円板（２０）を設けた。円柱棒（１４）を挿入と抽出できるように楕円板の中心に小さい穴（２１）を空けた。楕円板（２０）は接合したパイプ（１３）と固定出来るように溶接又は半田付けにした。鍵をアルミサッシに取り付けられるように止め穴（２２）を空けてネジで取り付けられる３番目の盗難防止用鍵を備えている。
この盗難防止用鍵を利用すればアルミサッシの枠にはめ込んである大きいガラスの一部分を破損させて内側から掛けてあるクレセント錠を外しも、大きいガラスを全部破損させないと泥棒は進入する事が出来ない。
【００１２】
【発明の効果】
以上３種類の盗難防止用鍵について詳細に述べた。３種類の盗難防止用鍵は取り扱いが簡単であり又低価額で作成出来る。クレセント錠と異なりアルミサッシＩの『めしあわせカマチ』の内部に装荷する。円柱棒がアルミサッシＩＩの方の穴に挿入するので、アルミサッシの枠に金属を差し込んでアルミサッシＩとＩＩは開けようとしても閉じたままで開けることが出来ない。泥棒に取っては盗難防止用鍵を探すのが大変であり、安全度の高い盗難防止用鍵になる。
【図面の簡単な説明】
【図１】従来のクロセント錠を用いた鍵の一例を示す図である。
【図２】全断面図は、基本中心線を中心にして２分の１だけを断面とする。
【図３】本発明に関する構造図である。
【図３Ｂ】本発明に関する構造図である。
【図４】アルミサッシＩの『めしあわせカマチ』の内側の上部に取り付けた盗難防止用鍵の図である。
【図５】全断面図は、基本中心線を中心にして２分の１だけを断面とする。
【図６】本発明に関する構造図である。
【図７】アルミサッシＩの『めしあわせカマチ』の内側の上部に取り付けた盗難防止用鍵の図である。
【符号の説明】
１      円柱棒
２      ヨーク
３      円盤型永久磁石
４      塩化ビーニル
５      塩化ビーニルを加工した容器の内部
６      （１）と（２）及び（３）を一体にした装置
７      保護用の薄い塩化ビーニル板
８      小さい穴
９      ヨーク
１０      円盤型永久磁石
１１Ａ    アルミサッシＩの『めしあわせカマチ』
１２Ａ    盗難防止用鍵
１３Ａ    永久磁石の磁界を弱めない用に多き穴を空ける。
１Ｂ    円柱棒
２Ｂ    ２枚の長方形板
３Ｂ    角型永久磁石
４Ｂ    塩化ビーニル
５Ｂ    加工した容器の内部
６Ｂ    （１Ｂ）と（Ｂ２）及び（３Ｂ）を一体にした装置
７Ｂ    保護用の塩化ビーニル板
８Ｂ    小さい穴
９Ｂ    ２枚の長方形板
１０Ｂ    角型永久磁石
１１Ｂ    ２枚の長方形板の間に挿入した角型永久磁石がズレ無いように樹脂で２枚の長方形板の回りを樹脂で固める。
１１      細い円柱パイプ
１２      少し太い円柱パイプ
１３      （１１）と（１２）を接合した円柱パイプ
１４      円柱棒
１５      切り込みを設けた円盤
１６      円柱棒（１４）の一端にマイナス溝を切った。
１７      （１４）と（１５）および（１６）を一体にした装置
１８      スプリング
１９      切り込みを設けた円盤（１５）の止めネギ
２０      保護用の楕円板金属
２１      円柱棒（１４）を挿入と抽出する調節する穴
２２      止めネジ用の穴
２３      アルミサッシＩＩに空けた穴
【図１】
2005009282.tif 000003
【図２】
2005009282.tif 000004
【図３】
2005009282.tif 000005
【図３Ｂ】
2005009282.tif 000006
【図４】
2005009282.tif 000007
【図５】
2005009282.tif 000008
【図６】
2005009282.tif 000009
【図７】
2005009282.tif 000010